【手続補正書】
【提出日】平成17年4月28日(2005.4.28)
【手続補正１】
【補正対象書類名】特許請求の範囲
【補正対象項目名】全文
【補正方法】変更
【補正の内容】
【特許請求の範囲】
【請求項１】
第１の水晶と、
前記第１の水晶に並列に配置された第２の水晶と、
前記第１の水晶に関連する第１のインダクタンスと、
前記第２の水晶に関連する第２のインダクタンスと、
前記第１および第２の水晶と通信し、振動信号を出力するように動作するトランジスタ回路とを備える、電圧制御型水晶発振器。
【請求項２】
前記第１のインダクタンスが、前記第１の水晶と直列に配置され、前記第２のインダクタンスが、前記第２の水晶と直列に配置され、前記第１および第２の水晶と前記第１および第２のインダクタンスとが水晶共振構造を形成する、請求項１に記載の電圧制御型水晶発振器。
【請求項３】
前記水晶共振構造と直列に配置されたキャパシタンスを更に備える、請求項２に記載の電圧制御型水晶発振器。
【請求項４】
前記キャパシタンスが、可変である、請求項３に記載の電圧制御型水晶発振器。
【請求項５】
前記第２の水晶と並列に配置されたタンク回路を更に備える、請求項２に記載の電圧制御型水晶発振器。
【請求項６】
水晶発振信号を供給するために、並列に配置された第１の水晶および第２の水晶を有する水晶共振器手段と、
前記第１の水晶を同調させるために、前記第１の水晶に関連付けられた第１のインダクタンスを含む手段と、
前記第２の水晶を同調させるために、前記第２の水晶に関連付けられた第２のインダクタンスを含む手段と、
前記水晶発振信号に応答して、振動信号を出力するために前記水晶共振器手段と通信するトランジスタ手段とを備える、電圧制御型水晶発振器。
【請求項７】
前記第１のインダクタンスが、前記第１の水晶と直列に配置され、前記第２のインダクタンスが、前記第２の水晶と直列に配置された、請求項６に記載の電圧制御型水晶発振器。
【請求項８】
前記水晶共振器手段と直列に配置されたキャパシタンスを含むリアクタンス手段を更に備える、請求項７に記載の電圧制御型水晶発振器。
【請求項９】
前記キャパシタンスが、可変である、請求項８に記載の電圧制御型水晶発振器。
【請求項１０】
前記水晶共振器手段の同調応答を線形化するために、前記第２の水晶と並列に配置されたタンク回路手段を更に含む、請求項８に記載の電圧制御型水晶発振器。
【請求項１１】
第１の水晶と、
出力振動信号を生成するために、正帰還をもたらすように前記第１の水晶に結合されたトランジスタと、
対応する変化が可変リアクタンスに生じた時に、前記振動信号の周波数の変化を生み出すように前記第１の水晶に結合された可変リアクタンスと、
前記可変リアクタンスと前記第１の水晶とを備える共振回路に結合され、前記振動信号の前記周波数に対して、少なくとも０．４％の周波数可変範囲を提供するように選択された値を有する第１のインダクタンスとを備える、制御型水晶発振器。
【請求項１２】
前記第１のインダクタンスを介して前記第１の水晶に結合されており、前記共振回路に含まれる第２の水晶を更に備える、請求項１１に記載の制御型水晶発振器。
【請求項１３】
前記第１の水晶のＱ特性を低減するために、前記第１の水晶に結合されたエネルギー散逸インピーダンスを更に備え、前記第１のインダクタンスが、前記エネルギー散逸インピーダンスから前記第２の水晶を分離する、請求項１２に記載の制御型水晶発振器。
【請求項１４】
前記可変リアクタンスが、前記第１と第２の水晶間の接合端子に結合された可変キャパシタンスを備える、請求項１２に記載の制御型水晶発振器。
【請求項１５】
前記第２の水晶に結合された第２のインダクタンスを更に備え、前記可変リアクタンスが前記第１と第２のインダクタンス間の接合端子に結合された、請求項１２に記載の制御型水晶発振器。
【請求項１６】
第１の水晶と、
前記第１の水晶に結合されて共振回路を形成する第２の水晶と、
出力振動信号を生成するために、正帰還をもたらすように前記共振回路に結合されたトランジスタと、
対応する変化が可変リアクタンスに生じた時に、前記振動信号の周波数の変化を生み出すように前記第１の水晶に結合された可変リアクタンスと、
前記第１の水晶のＱ特性を低減して発振器の周波数可変範囲を増大させるために、前記共振回路中で前記第１の水晶に結合されたエネルギー散逸インピーダンスと、
前記第１の水晶と前記エネルギー散逸インピーダンスのうちの一方から前記第２の水晶を分離して、前記第２の水晶のＱ特性に対する前記エネルギー散逸インピーダンスの効果を低減するための、前記共振回路中で結合されたインピーダンスとを備える制御型水晶発振器。
【請求項１７】
前記インピーダンスが、第１のインダクタンスを含む、請求項１６に記載の制御型水晶発振器。
【請求項１８】
前記可変リアクタンスが、前記第１と第２の水晶間の接合端子に結合された可変キャパシタンスを含む、請求項１７に記載の制御型水晶発振器。
【請求項１９】
前記第２の水晶に結合された第２のインダクタンスを更に備え、前記可変リアクタンスが前記第１と第２のインダクタンス間の接合端子に結合された、請求項１７に記載の制御型水晶発振器。
【手続補正２】
【補正対象書類名】明細書
【補正対象項目名】発明の名称
【補正方法】変更
【補正の内容】
【発明の名称】制御型水晶発振器
【手続補正３】
【補正対象書類名】明細書
【補正対象項目名】００２１
【補正方法】変更
【補正の内容】
【００２１】
次に図３を参照すると、本原理による、５０で例示的な単一（シングル）水晶電圧制御型水晶発振器（ＶＣＸＯ）実施例の全体的電気的概略図が示されている。電圧制御型水晶発振器（ＶＣＸＯ）５０は、トランジスタ回路４４と同様にトランジスタ回路５２を含んでいる。トランジスタ回路５２は、変形コルピッツ発振器を形成し、出力４６と同様に出力６０を有する。また、電圧制御型水晶発振器（ＶＣＸＯ）５０は、水晶回路４２と同様に水晶回路５４も含んでいる。水晶回路５４は、トランジスタ回路５２に結合されている。トランジスタ回路５２には、電圧源５６が結合されている。
【手続補正４】
【補正対象書類名】明細書
【補正対象項目名】００３０
【補正方法】変更
【補正の内容】
【００３０】
図４を参照すると、電圧制御型水晶発振器（ＶＣＸＯ）の別の実施例の電気的概略図が示されており、ここでは電圧制御型水晶発振器（ＶＣＸＯ）は７０で全体的に示されている。電圧制御型水晶発振器（ＶＣＸＯ）７０は、トランジスタ回路４４と同様にトランジスタ回路７２を含んでいる。トランジスタ回路７２は、変形コルピッツ発振器を形成し、出力４６と同様に出力７８を有する。また、電圧制御型水晶発振器（ＶＣＸＯ）７０は、水晶回路４２と同様に水晶回路７４も含んでいる。水晶回路７４はトランジスタ回路７２に結合されている。トランジスタ回路７２には、電圧源７６が結合されている。
【手続補正５】
【補正対象書類名】明細書
【補正対象項目名】００３６
【補正方法】変更
【補正の内容】
【００３６】
次に図５を参照すると、例示的で且つ基本的な電圧制御型水晶発振器（ＶＣＸＯ）の電気的概略図が９０で全体的に示されている。電圧制御型水晶発振器（ＶＣＸＯ）９０は、トランジスタ回路４４と同様にトランジスタ回路９２を含んでいる。トランジスタ回路９２は、変形コルピッツ発振器を形成し、出力４６と同様に出力９６を有する。また、電圧制御型水晶発振器（ＶＣＸＯ）９０は、水晶回路４２と同様に水晶回路９４も含んでいる。水晶回路９４はトランジスタ回路９２に結合されている。トランジスタ回路９２には、５ボルトの電圧源が結合されている。